(57)【要約】      （修正有）【課題】相互に関連する複数のメールを受信したときに少ない回数の報知を行うことにより内容確認の煩雑さを低減することができるメール送受信装置、方法およびプログラムを提供する。【解決手段】車載装置１は、ＬＩＮＥメールを受信するＬＩＮＥメール受信処理部５４と、ＬＩＮＥメール受信処理部５４によって第１のメールを受信後にこの第１のメールに関連する第２のメールを受信したか否かを判定する受信メール判定部５６と、受信メール判定部５６によって第１のメールと第２のメールとが関連する旨の判定が行われたときに、これら２つのメールを同時に報知する報知処理部５７とを備えている。【選択図】図２
2016009221.tif 000002
【特許請求の範囲】
【請求項１】
文字列および画像の少なくとも一方を含む電子メールを送受信するメール送受信装置であって、
前記電子メールを受信するメール受信手段と、
前記メール受信手段によって第１の電子メールを受信後に、前記メール受信手段によってこの第１の電子メールに関連する第２の電子メールを受信したか否かを判定する受信メール判定手段と、
前記受信メール判定手段によって前記第１の電子メールと前記第２の電子メールとが関連する旨の判定が行われたときに、これら第１および第２の電子メールを同時に報知する報知手段と、
を備えることを特徴とするメール送受信装置。
【請求項２】
請求項１において、
前記受信メール判定手段は、前記第１の電子メールを受信してから所定時間以内に、前記第１の電子メールの送信者と同一の送信者から前記第２の電子メールを受信した場合に、前記第１の電子メールと前記第２の電子メールとが関連する旨の判定を行うことを特徴とするメール送受信装置。
【請求項３】
請求項１または２において、
前記メール受信手段は、文字列および画像のいずれか一方のみが含まれる前記第１の電子メールと、いずれか他方のみが含まれる前記第２の電子メールを受信することを特徴とするメール送受信装置。
【請求項４】
請求項１〜３のいずれか一項において、
前記文字列を読み上げて音声出力する音声出力手段と、前記画像を表示する表示手段とをさらに備え、
前記報知手段は、前記第１および第２の電子メールのそれぞれが、前記文字列のみからなる場合に前記音声出力手段からこの文字列に対応する音声出力を行うことにより前記報知を行い、前記画像のみからなる場合に前記表示手段にこの画像を表示することにより前記報知を行うことを特徴とするメール送受信装置。
【請求項５】
請求項４において、
前記報知手段は、前記第１および第２の電子メールのいずれか一方が前記文字列のみからなり、いずれか他方が前記画像のみからなる場合に、前記音声出力手段による音声出力と前記表示手段による画像表示とを同時に行うことを特徴とするメール送受信装置。
【請求項６】
請求項１において、
前記第１および第２の電子メールのいずれか一方には前記文字列が、いずれか他方には前記画像が含まれており、
前記受信メール判定手段は、前記文字列および前記画像のそれぞれの内容に基づいて、前記第１の電子メールと前記第２の電子メールとの間の関連性の有無を判定することを特徴とするメール送受信装置。
【請求項７】
請求項１〜６のいずれか一項において、
前記車両に搭載されていることを特徴とするメール送受信装置。
【請求項８】
文字列および画像の少なくとも一方を含む電子メールを送受信するメール送受信方法であって、
前記電子メールをメール受信手段によって受信するメール受信ステップと、
前記メール受信手段によって第１の電子メールを受信後に、前記メール受信手段によってこの第１の電子メールに関連する第２の電子メールを受信したか否かを受信メール判定手段によって判定する受信メール判定ステップと、
前記受信メール判定手段によって前記第１の電子メールと前記第２の電子メールとが関連する旨の判定が行われたときに、これら第１および第２の電子メールを同時に報知手段によって報知する報知ステップと、
を有することを特徴とするメール送受信方法。
【請求項９】
コンピュータを、
文字列および画像の少なくとも一方を含む電子メールを受信するメール受信手段と、
前記メール受信手段によって第１の電子メールを受信後に、前記メール受信手段によってこの第１の電子メールに関連する第２の電子メールを受信したか否かを判定する受信メール判定手段と、
前記受信メール判定手段によって前記第１の電子メールと前記第２の電子メールとが関連する旨の判定が行われたときに、これら第１および第２の電子メールを同時に報知する報知手段と、
して機能させるためのメール送受信プログラム。
【発明の詳細な説明】
【技術分野】
【０００１】
本発明は、文章と画像の一方が含まれるメールを送受信するメール送受信装置、方法およびプログラムに関する。
【背景技術】
【０００２】
従来から、同一の送信者から受信した電子メールについて、その受信間隔に基づいて着信報知を行うか否かを判定し、報知の有無を使い分けるようにした携帯端末が知られている（例えば、特許文献１参照。）。この携帯端末では、頻繁に電子メールを送受信している場合には、電子メールの着信の報知が行われなくても、そのことを容易に携帯端末の所持者は知ることができる点に着目し、所定の時間内に電子メールの受信／送受信した場合には、その着信の報知を行わないようにしている。
【先行技術文献】
【特許文献】
【０００３】
【特許文献１】特開２００８−９７２１８号公報
【発明の概要】
【発明が解決しようとする課題】
【０００４】
ところで、最近では、ＬＩＮＥ（登録商標）と称されるインスタントメッセンジャーの登録者が増加しており、簡単な操作で文章や画像を含むＬＩＮＥメールの送受信が端末装置間で行われている。このＬＩＮＥメールでは、文章からなるテキストメッセージと、スタンプと称されるイラストなどの画像が別々に送受信される。したがって、文章とこの文章の内容に関連するスタンプを送ろうとすると、最初に文章が含まれるＬＩＮＥメールを送信し、続けてスタンプが含まれるＬＩＮＥメールを送信することになる。
【０００５】
このように２つのＬＩＮＥメールを続けて送信する場合に、上述した特許文献１に開示された手法を用いてＬＩＮＥメール受信時の報知の有無を決定すると、２回目もＬＩＮＥメール受信時に報知が行われず、スタンプを受信したことを見逃すおそれがある。一方、特許文献１に開示された手法を用いずにＬＩＮＥメールを受信する毎に報知を行うようにすればこのような見逃しは生じないが、互いに関連する複数のＬＩＮＥメールのそれぞれを受信する毎に報知を行い、その都度、受信したＬＩＮＥメールの内容を確認する作業は繁雑であるという問題があった。車載装置を用いて複数のＬＩＮＥメールを受信する場合には、短い時間間隔でこれらのＬＩＮＥメールの受信を報知しても、その都度それぞれのＬＩＮＥメールの内容を別々に確認することは容易ではない。特に、文章とこの文章に関連する画像が含まれる複数のＬＩＮＥメールを続けて短い時間間隔で受信した場合には、これら一連のＬＩＮＥメールを受信した時点でそれぞれのＬＩＮＥメールの内容を確認すれば十分であると考えられるが、上述した特許文献１を含む従来手法ではこのような内容確認方法には対応できなかった。
【０００６】
本発明は、このような点に鑑みて創作されたものであり、その目的は、相互に関連する複数のメールを受信したときに少ない回数の報知を行うことにより内容確認の煩雑さを低減することができるメール送受信装置、方法およびプログラムを提供することにある。
【課題を解決するための手段】
【０００７】
上述した課題を解決するために、本発明のメール送受信装置は、文字列および画像の少なくとも一方を含む電子メールを送受信するメール送受信装置であって、電子メールを受信するメール受信手段と、メール受信手段によって第１の電子メールを受信後に、メール受信手段によってこの第１の電子メールに関連する第２の電子メールを受信したか否かを判定する受信メール判定手段と、受信メール判定手段によって第１の電子メールと第２の電子メールとが関連する旨の判定が行われたときに、これら第１および第２の電子メールを同時に報知する報知手段とを備えている。
【０００８】
また、本発明のメール送受信方法は、文字列および画像の少なくとも一方を含む電子メールを送受信するメール送受信方法であって、電子メールをメール受信手段によって受信するメール受信ステップと、メール受信手段によって第１の電子メールを受信後に、メール受信手段によってこの第１の電子メールに関連する第２の電子メールを受信したか否かを受信メール判定手段によって判定する受信メール判定ステップと、受信メール判定手段によって第１の電子メールと第２の電子メールとが関連する旨の判定が行われたときに、これら第１および第２の電子メールを同時に報知手段によって報知する報知ステップとを有している。
【０００９】
また、本発明のメール送受信プログラムは、コンピュータを、文字列および画像の少なくとも一方を含む電子メールを受信するメール受信手段と、メール受信手段によって第１の電子メールを受信後に、メール受信手段によってこの第１の電子メールに関連する第２の電子メールを受信したか否かを判定する受信メール判定手段と、受信メール判定手段によって第１の電子メールと第２の電子メールとが関連する旨の判定が行われたときに、これら第１および第２の電子メールを同時に報知する報知手段として機能させる。
【００１０】
互いに関連のある複数の電子メールを異なるタイミングで受信したときに、後に受信した電子メールに合わせて報知を行うことにより、報知の機会を減らして受信メールの内容確認の煩雑さを低減することが可能となる。
【００１１】
また、上述した受信メール判定手段は、第１の電子メールを受信してから所定時間以内に、第１の電子メールの送信者と同一の送信者から第２の電子メールを受信した場合に、第１の電子メールと第２の電子メールとが関連する旨の判定を行うことが望ましい。同一送信者から同一送信相手に短時間内に複数の電子メールが送信された場合には、これら複数の電子メールの内容が相互に関連する蓋然性が高いため、これらの電子メールをひとまとめにして報知を行うことにより、電子メールの受信者による内容確認の煩雑さを大幅に低減することができる。
【００１２】
また、上述したメール受信手段は、文字列および画像のいずれか一方のみが含まれる第１の電子メールと、いずれか他方のみが含まれる第２の電子メールを受信することが望ましい。文章（文字列）と関連する画像を別々の電子メールで送受信する場合に、これらの文章と画像の受信が終了した後に報知を行うことができるため、利用者は文章と画像の内容を同時に確認することが可能になる。
【００１３】
また、上述した文字列を読み上げて音声出力する音声出力手段と、画像を表示する表示手段とをさらに備え、報知手段は、第１および第２の電子メールのそれぞれが、文字列のみからなる場合に音声出力手段からこの文字列に対応する音声出力を行うことにより報知を行い、画像のみからなる場合に表示手段にこの画像を表示することにより報知を行うことが望ましい。受信した電子メールに含まれる文字列を読み上げることにより、その内容確認が容易となる。
【００１４】
また、上述した報知手段は、第１および第２の電子メールのいずれか一方が文字列のみからなり、いずれか他方が画像のみからなる場合に、音声出力手段による音声出力と表示手段による画像表示とを同時に行うことが望ましい。これにより、関連する画像を見ながら文字列の内容を音声にて確認することができ、文字列と画像のそれぞれの内容確認をさらに容易に行うことができる。
【００１５】
また、上述した第１および第２の電子メールのいずれか一方には文字列が、いずれか他方には画像が含まれており、受信メール判定手段は、文字列および画像のそれぞれの内容に基づいて、第１の電子メールと第２の電子メールとの間の関連性の有無を判定することが望ましい。文字列と画像のそれぞれの内容に関連性がある場合にこれらを内容とする複数の電子メールをひとまとめにして報知を行うことにより、電子メールの受信者による内容確認の煩雑さを大幅に低減することができる。
【００１６】
また、上述したメール送受信装置は、車両に搭載されていることが望ましい。車両に搭載されたメール送受信装置は、操作性や画面の視認性等が良好であるとは言い難いが、このような場合に、電子メール受信時の報知回数を減らすことにより、操作や内容確認の煩雑さを改善することができる。
【図面の簡単な説明】
【００１７】
【図１】一実施形態の車載装置を含むメール送受信システムの全体構成を示す図である。
【図２】車載装置の構成を示す図である。
【図３】車載装置においてＬＩＮＥメールを受信する際の動作手順を示す流れ図である。
【図４】車載装置においてＬＩＮＥメールを受信した際の報知例を示す図である。
【図５】車載装置においてＬＩＮＥメールを受信した際の報知の変形例を示す図である。
【発明を実施するための形態】
【００１８】
以下、本発明のメール送受信装置を適用した一実施形態の車載装置について図面を参照しながら説明する。図１は、一実施形態の車載装置を含むメール送受信システムの全体構成を示す図である。本実施形態のメール送受信システムは、自車両に搭載された車載装置１と、この車載装置１とネットワーク５を介して接続されるＬＩＮＥサーバ４とを含んで構成されている。また、ネットワーク５には、車載装置１との間でＬＩＮＥメールを送受信する相手となる他の車載装置２や携帯端末装置３などが接続される。
【００１９】
車載装置１は、ナビゲーション装置やオーディオ装置などの機能やインターネット接続やＬＩＮＥメール送受信などの機能を有し、車両に搭載されている。また、ＬＩＮＥサーバ４は、適宜車載装置１、２や携帯端末装置３等に接続され、ＬＩＮＥメールの送受信に関する処理を行う。ネットワーク５は、例えばインターネットであり、車載装置１に接続された移動体電話としての携帯電話および基地局（ともに図示せず）を介して接続されている。なお、車載装置１のネットワーク５への接続は、必ずしも携帯電話を介して行う必要はなく、車載装置１に接続（あるいは内蔵）された無線ＬＡＮ用の通信装置およびアクセスポイント（ともに図示せず）を介して接続するようにしてもよい。また、無線ＬＡＮによってネットワーク５に接続可能な場合には無線ＬＡＮによる接続を行い、無線ＬＡＮによる接続が不可能な場合（近くにアクセスポイントがない場合など）には携帯電話を用いた接続を行うようにしてもよい。また、車載装置１に携帯電話を外付けする代わりに、車載装置１が携帯電話の機能を内蔵するようにしてもよい。
【００２０】
図２は、車載装置１の構成を示す図である。図２に示すように、車載装置１は、操作部１０、タッチパネル１２、入力制御部１４、表示処理部２０、表示装置２２、デジタル−アナログ変換器（Ｄ／Ａ）３０、スピーカ３２、制御部５０、ハードディスク装置（ＨＤＤ）７０、ＵＳＢ（Universal Serial Bus）インタフェース部（ＵＳＢ  Ｉ／Ｆ）８０を備えている。
【００２１】
操作部１０は、車載装置１に対する利用者による操作を受け付けるためのものであり、表示装置２２の周囲に配置された各種の操作キー、操作スイッチ、操作つまみ等を含んで構成されている。また、表示装置２２に各種の操作画面や入力画面が表示された時点で、これらの操作画面や入力画面の一部を利用者が指などで直接指し示すことにより、操作画面や入力画面の表示項目を選択することができるようになっており、このような操作画面や入力画面を用いた操作を可能とするために、指し示された指などの位置を検出するタッチパネル１２が備わっている。なお、タッチパネル１２を用いる代わりに、リモートコントロールユニット等を用いて操作画面や入力画面の一部を利用者の指示に応じて選択するようにしてもよい。入力制御部１４は、操作部１０やタッチパネル１２を監視しており、それらの操作内容を決定する。
【００２２】
表示処理部２０は、各種の操作画面や入力画面、処理画面等を表示する映像信号を出力して表示装置２２にこれらの画面を表示するとともに、インターネット画面や動画に対応する映像画面等を表示する映像信号を出力して表示装置２２にこれらの画面を表示する。表示装置２２は、運転席と助手席の中央前方に設置されており、例えば液晶表示装置（ＬＣＤ）を用いて構成されている。
【００２３】
デジタル−アナログ変換器３０は、動画再生や音楽再生に伴って生成される音声データや音楽データをアナログの音声信号に変換してスピーカ３２から出力する。また、本実施形態では、ＬＩＮＥメールに含まれる文章（テキストデータ）を読み上げるためにこの文章に対応する音声データが生成されると、この音声データはデジタル−アナログ変換器３０によってアナログの音声信号に変換され、スピーカ３２から出力される。なお、実際には、デジタル−アナログ変換器３０とスピーカ３２の間には信号を増幅する増幅器が接続されているが、図２ではこの増幅器は省略されている。また、デジタル−アナログ変換器３０とスピーカ３２との組合せは再生チャンネル数分備わっているが、図２では一組のみが図示されている。
【００２４】
制御部５０は、車載装置１の全体を制御するとともに、インターネット接続やＬＩＮＥメール送受信およびその他の各種処理（ナビゲーション処理など）を行うためのものであり、ＲＯＭやＲＡＭなどに格納された所定のアプリケーション（ナビゲーションプログラムやメール送受信プログラムなど）をＣＰＵで実行することにより各種処理を実現するコンピュータとしての機能を有する。
【００２５】
ハードディスク装置７０は、制御部５０によって行われる各種処理に必要なデータを格納する。例えば、ナビゲーション処理に必要は地図データや、オーディオ再生の対象となる楽曲データなどがハードディスク装置７０に格納されている。
【００２６】
ＵＳＢインタフェース部８０は、ＵＳＢケーブルを介して携帯電話９０やその他のＵＳＢデバイスとの間で信号の入出力を行うためのものであり、ＵＳＢポートやＵＳＢホストコントローラが含まれる。
【００２７】
また、上述した制御部５０は、ナビゲーション処理部５１、オーディオ処理部５２、インターネット処理部５３、ＬＩＮＥメール受信処理部５４、ＬＩＮＥメール送信処理部５５、受信メール判定部５６、報知処理部５７、音声処理部５８を有する。
【００２８】
ナビゲーション処理部５１は、ナビ用アプリケーションを実行することにより実現される。このナビゲーション処理部５１は、例えば、自車位置周辺の地図画像表示に必要な地図データをハードディスク装置７０から読み出して、自車位置周辺の地図画像の描画処理や、目的地までの走行経路を設定する経路案内処理、この設定された走行経路に沿って車両の走行を案内する経路誘導処理などを行う。これにより、自車位置周辺の地図画像や経路誘導に必要な交差点案内画像等が表示装置２２に表示される。また、交差点案内を行う案内音声がスピーカ３２から出力される。
【００２９】
オーディオ処理部５２は、オーディオ処理用アプリケーションを実行することにより実現される。このオーディオ処理部５２は、楽曲データをハードディスク装置７０から読み出して、楽曲の再生に必要な各種の処理、例えば圧縮された楽曲データを伸張してデジタル-アナログ変換器３０に入力するデータを生成したり、再生楽曲の選択や早送り等の処理を行う。
【００３０】
インターネット処理部５３は、インターネット接続用アプリケーションを実行することにより実現される。このインターネット処理部５１は、ウェブブラウザの機能を有し、ＵＳＢインタフェース部８０および携帯電話９０を介してインターネット接続を行い、各種のサーバとの間でデータの送受信を行う。
【００３１】
ＬＩＮＥメール受信処理部５４は、特定の通信相手から送られてくるＬＩＮＥメールを受信する処理を行う。このＬＩＮＥメールには、文章（文字列）および画像等のいずれかが含まれている。
【００３２】
ＬＩＮＥメール送信処理部５５は、文章および画像のいずれか一方が含まれるＬＩＮＥメールを作成するとともに、この作成したＬＩＮＥメールを特定の通信相手に向けて送信する処理を行う。
【００３３】
受信メール判定部５６は、ＬＩＮＥメール受信処理部５４によって第１のＬＩＮＥメールを受信後に、この第１のＬＩＮＥメールに関連する第２のＬＩＮＥメールを受信したか否かを判定する。例えば、受信メール判定部５６は、第１のＬＩＮＥメールを受信してから所定時間（例えば１０秒）以内に、この第１のＬＩＮＥメールの送信者と同一の送信者から第２のＬＩＮＥメールを受信した場合に、第１のＬＩＮＥメールと第２のＬＩＮＥメールとが関連する旨の判定を行う。
【００３４】
あるいは、第１および第２のＬＩＮＥメールのいずれか一方には文章（文字列）が、いずれか他方にはスタンプ等の画像が含まれている場合に、受信メール判定部５６は、文章および画像のそれぞれの内容に基づいて、第１のＬＩＮＥメールと第２のＬＩＮＥメールとの間の関連性の有無を判定する。例えば、予めあるいはその都度画像認識等を用いて、スタンプ毎の特徴を抽出するとともに、文章に含まれるキーワードを抽出し、抽出したこれらの特徴およびキーワードを比較することにより関連性の有無が判定される。
【００３５】
報知処理部５７は、受信メール判定部５６によって第１のＬＩＮＥメールと第２のＬＩＮＥメールとが関連する旨の判定が行われたときに、これら第１および第２のＬＩＮＥメールを同時に報知する。例えば、ＬＩＮＥメールの内容が文章の場合には、この文章を構成する文字列を表示装置２２に表示したり、文章を読み上げる音声をスピーカ３２から出力することにより、ＬＩＮＥメールの報知が行われる。また、ＬＩＮＥメールの内容がスタンプ等の画像の場合には、この画像を表示装置２２に表示することにより、ＬＩＮＥメールの報知が行われる。
【００３６】
音声処理部５８は、文章からなるＬＩＮＥメールの報知を音声出力によって行う場合に、この文章（文字列）に対応する音声データを生成する。この音声データは、デジタル-アナログ変換器３０に入力され、スピーカ３２からこの文章の読み上げ音声が出力される。なお、この音声出力の手法は、ＴＴＳ（text-to-speech）として広く採用された方法を利用することができる。
【００３７】
上述したＬＩＮＥメール受信処理部５４がメール受信手段に、受信メール判定部５６が受信メール判定手段に、報知処理部５７が報知手段に、音声処理部５８、デジタル−アナログ変換器３０、スピーカ３２が音声出力手段に、表示処理部２０、表示装置２２が表示手段にそれぞれ対応する。
【００３８】
本実施形態の車載装置１はこのような構成を有しており、次に、ＬＩＮＥメールを受信して報知する際の動作について説明する。図３は、車載装置１においてＬＩＮＥメールを受信する際の動作手順を示す流れ図である。ＬＩＮＥメール受信処理部５４は、第１のメールを受信したか否かを判定する（ステップ１００）。ここで、「第１のＬＩＮＥメール」とは、所定時間以上の間隔をあけて受信するＬＩＮＥメールである。車載装置１が起動後に最初に受信するＬＩＮＥメールや、１通あるいは複数のＬＩＮＥメールを受信した後に最後のＬＩＮＥメールの受信時点から所定時間以上経過後に受信したＬＩＮＥメールが「第１のＬＩＮＥメール」に該当する。第１のＬＩＮＥメールを受信していない場合にはステップ１００の判定において否定判断が行われ、この判定が繰り返される。
【００３９】
また、ＬＩＮＥメール受信処理部５４は、第１のＬＩＮＥメールを受信すると、ステップ１００の判定において肯定判断を行い、次に、第２のＬＩＮＥメールを受信したかを判定する（ステップ１０２）。ここで、「第２のＬＩＮＥメール」とは、上述した第１のＬＩＮＥメールの次に受信するＬＩＮＥメールである。第２のＬＩＮＥメールを受信していない場合にはステップ１０２の判定において否定判断が行われる。次に、報知処理部５７は、第１のＬＩＮＥメールを受信した時点から所定時間が経過したか否かを判定する（ステップ１０４）。所定時間が経過していない場合には否定判断が行われ、ステップ１０２に戻って第２のＬＩＮＥメール受信の有無判定が繰り返される。また、所定時間が経過するとステップ１０４の判定において肯定判断が行われ、報知処理部５７は、第１のＬＩＮＥメールの内容を車載装置１の利用者（例えば運転者）に対して報知する（ステップ１０６）。具体的には、ＬＩＮＥメールの内容が文章の場合には、文章を構成する文字列を表示装置２２に表示することにより、および／または、文章を読み上げる音声データを音声処理部５８によって生成して読み上げ音声をスピーカ３２から出力することにより、受信した第１のＬＩＮＥメールの報知が行われる。あるいは、ＬＩＮＥメールの内容が画像（スタンプ）の場合には、この画像を表示装置２２に表示することにより、受信した第１のＬＩＮＥメールの報知が行われる。その後、ステップ１００に戻って第１のＬＩＮＥメール受信の有無判定が繰り返される。
【００４０】
また、ＬＩＮＥメール受信処理部５４が第２のＬＩＮＥメールを受信すると、ステップ１０２の判定において肯定判断が行われる。次に、受信メール判定部５６は、先に受信した第１のＬＩＮＥメールと今回受信した第２のＬＩＮＥメールとの間に関連があるか否かを判定する（ステップ１０８）。第１および第２のＬＩＮＥメールの間に関連がない場合には否定判断が行われ、報知処理部５７は、第１のＬＩＮＥメールの内容を車載装置１の利用者に対して報知する（ステップ１１０）。その後、受信メール判定部５６は、第２のＬＩＮＥメールを第１のＬＩＮＥメールに変更（この変更は、受信済みの第２のＬＩＮＥメールを以後の処理において第１のＬＩＮＥメールとして取り扱うことを意味している）する（ステップ１１２）。その後、ステップ１０２に戻って第２のＬＩＮＥメール受信の有無判定が繰り返される。
【００４１】
また、第１および第２のＬＩＮＥメールが互いに関連する場合にはステップ１０８の判定において肯定判断が行われる。次に、報知処理部５７は、これら２つのＬＩＮＥメールを同時に報知する（ステップ１１４）。例えば、本実施形態では、最初に受信した第１のＬＩＮＥメールに文章が含まれ、続けて受信した第２のＬＩＮＥメールにスタンプ等の画像が含まれていることを想定している（あるいは、画像が先で文章が後の場合も考えられる）。このような場合には、第２のＬＩＮＥメールを受信した時点において、第１のＬＩＮＥメールに含まれる文章の内容表示および／または文章の内容を読み上げる音声出力と、第２のＬＩＮＥメールに含まれる画像の内容表示が同時に行われる。その後、ステップ１００に戻って第１のＬＩＮＥメール受信の有無判定が繰り返される。
【００４２】
図４は、車載装置１においてＬＩＮＥメールを受信した際の報知例を示す図である。図４に示す例では、最初に車載装置１を操作する利用者が文章Ｔ１「今夜、ごはんどこ行くー？」を内容とするＬＩＮＥメールを作成して特定の相手（例えば、携帯端末装置３の利用者）に送信し、続けて、スタンプＳ１を内容とするＬＩＮＥメールを作成して同じ相手に送信する。
【００４３】
次に、この相手から文章Ｔ２「焼肉がいい！お腹すいた...」を内容とする第１のＬＩＮＥメールを受信する。また、同じ相手から、所定時間以内にスタンプＳ２を内容とする第２のＬＩＮＥメールを受信する。このような第１および第２のＬＩＮＥメールは、同一の送信者から送られてきたものであって、受信間隔が所定時間以内であるため、互いに関連があるものと判定される。したがって、車載装置１では、第２のＬＩＮＥメールを受信した後に着信通知（例えば、ＬＩＮＥメール受信処理部５４によって着信を知らせる表示や通知音出力が行われる）が行われ、これら２つのＬＩＮＥメールの内容が同時に報知（例えば、文章Ｔ２とスタンプＳ２を同時に表示）される。車載装置１の利用者は、これら第１および第２のＬＩＮＥメールの内容を同時に確認することができる。
【００４４】
図５は、車載装置１においてＬＩＮＥメールを受信した際の報知の変形例を示す図である。図５に示す例では、車載装置１ではナビゲーション処理が行われており、表示装置２２によって自車位置周辺の地図画像が表示されている。このような表示状態において図４で説明した第１および第２のＬＩＮＥメールを受信すると、報知処理部５７は、音声処理部５８に指示を出して第１のＬＩＮＥメールに含まれる文章Ｔ２「焼肉がいい！お腹すいた...」を読み上げる音声をスピーカ３２から出力するとともに、表示画面の一部（例えば、画面右上の一部）に第２のＬＩＮＥメールに含まれるスタンプＳ２を表示する。
【００４５】
このように、本実施形態の車載装置１では、互いに関連のある複数のＬＩＮＥメールを異なるタイミングで受信したときに、後に受信したＬＩＮＥメールに合わせて報知を行うことにより、報知の機会を減らして受信メールの内容確認の煩雑さを低減することが可能となる。
【００４６】
また、同一送信者から同一送信相手に短時間内に複数のＬＩＮＥメールが送信された場合には、これら複数のＬＩＮＥメールの内容が相互に関連する蓋然性が高いため、これらのＬＩＮＥメールをひとまとめにして報知を行うことにより、ＬＩＮＥメールの受信者による内容確認の煩雑さを大幅に低減することができる。
【００４７】
また、文章（文字列）と関連する画像を別々のＬＩＮＥメールで送受信する場合に、これらの文章と画像の受信が終了した後に報知を行うことができるため、利用者は文章と画像の内容を同時に確認することが可能になる。
【００４８】
また、受信したＬＩＮＥメールに含まれる文章（文字列）を読み上げて音声出力することにより、その内容確認が容易となる。また、相互に関連する２つのＬＩＮＥメールのいずれか一方が文章（文字列）のみからなり、いずれか他方が画像のみからなる場合に、文章読み上げの音声出力と画像表示とを同時に行うことにより、関連する画像を見ながら文章の内容を音声にて確認することができ、文章と画像のそれぞれの内容確認をさらに容易に行うことができる。
【００４９】
また、２つのＬＩＮＥメールの関連性の有無を文章および画像のそれぞれの内容に基づいて行うようにしてもよい。例えば、画像に対して、その画像が示す文字列「やったー」、「うれしい」、「かなしい」などを関連付けておき、文章により送られたＬＩＮＥメールの文字列に、画像に関連付けられた文字列が含まれている場合、関連性があると判断できる。このように文章と画像の内容に関連性がある場合にこれらを内容とする複数のＬＩＮＥメールをひとまとめにして報知を行うことにより、ＬＩＮＥメールの受信者による内容確認の煩雑さを大幅に低減することができる。
【００５０】
また、本発明のメール送受信装置を車両に搭載するようにしてもよい。車両に搭載された場合には、操作性や画面の視認性等が良好であるとは言い難いが、このような場合に、ＬＩＮＥメール受信時の報知回数を減らすことにより、操作や内容確認の煩雑さを改善することができる。
【００５１】
なお、本発明は上記実施形態に限定されるものではなく、本発明の要旨の範囲内において種々の変形実施が可能である。例えば、上述した実施形態では、車載装置１に本発明を適用したが、車両に搭載されていない場合、例えば携帯端末装置３（図１）を用いてＬＩＮＥメールを受信する場合にも本発明を適用することができる。
【００５２】
また、上述した実施形態では、２つのＬＩＮＥメールが互いに関連する場合に、後で受信したＬＩＮＥメールに合わせてこれら２つのＬＩＮＥメールの報知を行っているが、互いに関連する３つ以上のＬＩＮＥメールを受信した場合に、最後に受信したＬＩＮＥメールに合わせてこれら３つ以上のＬＩＮＥメールの報知を行うようにしてもよい。
【００５３】
また、上述した実施形態では、ＬＩＮＥメールを受信するメール送受信装置について本発明を適用したが、ＬＩＮＥメール以外の電子メールを受信するメール送受信装置についても本発明を適用することができる。
【産業上の利用可能性】
【００５４】
上述したように、本発明によれば、互いに関連のある複数の電子メールを異なるタイミングで受信したときに、後に受信した電子メールに合わせて報知を行うことにより、報知の機会を減らして受信メールの内容確認の煩雑さを低減することが可能となる。
【符号の説明】
【００５５】
１、２  車載装置
５  ネットワーク
４  ＬＩＮＥサーバ
１０  操作部
１２  タッチパネル
１４  入力制御部
２０  表示処理部
２２  表示装置
３０  デジタル−アナログ変換器（Ｄ／Ａ）
３２  スピーカ
５０  制御部
５１  ナビゲーション処理部
５２  オーディオ処理部
５３  インターネット処理部
５４  ＬＩＮＥメール受信処理部
５５  ＬＩＮＥメール送信処理部
５６  受信メール判定部
５７  報知処理部
５８  音声処理部
７０  ハードディスク装置（ＨＤＤ）
８０  ＵＳＢインタフェース部（ＵＳＢ  Ｉ／Ｆ）
【図１】
2016009221.tif 000003
【図２】
2016009221.tif 000004
【図３】
2016009221.tif 000005
【図４】
2016009221.tif 000006
【図５】
2016009221.tif 000007